Podtech/llm-jp-corpus-v4-ja_patent huggingface dataset:
(57)【要約】【課題】日本の着物や帯を日本古来より受け継がれている伝統工芸品として額装し美術品として鑑賞しながら保存する。【解決手段】着物や帯のオリジナリティーを損なう事の無い方法で、畳み込み作業により額装する。【選択図】図３
2016116818.tif 000002
【特許請求の範囲】
【請求項１】
着物や帯のオリジナリティーを損なう事の無い方法で、キャンバス等の板に着物や帯を畳み込み額装し、美術品として飾れる新たな工芸品に加工する方法
【請求項２】
畳み込み額縁のカバーガラスをＵＶカット機能付きの透明樹脂性シートを使用する事により紫外線に弱い着物や帯の染料の劣化を防ぐ方法。
【請求項３】
畳み込み額装のカバーガラスとバックボードを封止材等で封止し、額装内を窒素ガス等の不活性ガスにて充填し、外気やホコリによる着物の劣化を防ぐ方法
【発明の詳細な説明】
【技術分野】
【０００１】日本の着物や帯を切ったりする事無くオリジナリティーにダメージを与える事無く、着物を折り畳み、固定した状態で、紫外線をカットし不活性ガスを充填した状態で額装する、「畳み込み」額装する
【背景技術】
【０００２】かつて２兆円産業と言われた着物関連産業は、購買金額・数量ともに減少を続け、２０１１年の呉服小売市場規模は、人々の「着物ばなれ」により約３，０００億円と推計されている。
着物や帯の製造工程はその種類によって様々であるが、中には２０もの工程を必要とするものもあり、そのほとんどが熟練の職人達に支えられている。着物作りを支えて来た熟練した職人の技術や、古来の芸術やその仕事も減少している。
着物と帯は繊細な絹織物で染めや刺繍、金彩等様々な装飾等が施されていて、シミになったり、変色したりと保存や維持が難しい。
着物や帯が紫外線やホコリ等の環境曝露よってシミや変色した場合、公の席にて着用する事は無くなり着物本来の役割は終了する。
また着物や帯は思い出の品として形見分けされそのまましまい込まれる。さもなければリサイクルに出されたりするが、結果としてシミがついていたり変色したりした着物はカットしたり分解したりして違う用途に使用されている。
海外の場合、多くの外国人がリサイクル着物と帯を購入するが、着付けの技術や着用の際の小物などが必要な事に気付き、その結果、着物をしまい込み、また違う用途で使用する為に切断する事になる場合が多い
【発明の開示】
【発明が解決しようとする課題】
【０００３】畳み込み額装により、着物や帯はオリジナリティーを損なわずに保管出来き、家庭内やオフィスなど世界中で日常生活の一部のアートとしてその美しさを楽しめる。また思い出の品として形見分けされる着物も芸術性を形見として残すことができるので、伝統的な日本の習慣として世代から世代へ受け継ぐことが出来る。
【課題を解決する為の手段】
【０００４】畳み込み額装を活用して、着物を美術品にする方法
【発明の効果】
【０００５】この発明により様々な職人の手をかけて作られて来た伝統ある着物を、後世に美術工芸品として残す事が出来る。またそれにより古来の技術やその技能を保持し伝統的な着物と帯を作る職人の需要や、新しい市場への雇用機会が増加する。
【発明を実施するための形態】
【実施例】
【０００６】留袖の畳み込み額装の場合、縦９１０ｃｍ、横７２７ｃｍ，厚さ４ｍｍのベニア板に留袖の裾模様を合わせ，クリップ等で仮止めし裏側に残りの着物を畳み込む。図１
畳み込んだ裏側部分に紐を縫い付け，引っ張りながら固定する。図２
畳み込みした留袖をはめ込み額装する。図３【０００７】「実施形態の効果」
着物や帯に描かれた文様は畳み込み額装によって，額装芸術作品として飾る事が出来、日本の伝統工芸の文様や織り染色など職人の技を存分に鑑賞出来る。
【図面の簡単な説明】
【０００８】
【図１】この発明でクリップで仮止めした留袖の畳み込みの図
【図２】この発明で畳み込み作業で留袖を紐で固定した図
【図３】留袖の畳み込みを額装したときの断面図
【図１】
2016116818.tif 000003
【図２】
2016116818.tif 000004
【図３】
2016116818.tif 000005
(57)【要約】      （修正有）【課題】撮影画面中に白が存在しなくても、色の再現性の高い画像を得ることが出来るシステムを提供する。【解決手段】撮影した画面内の光源色を測定し、この光源色により画像の色再現を行う。このとき、光源色による色を再現した画像をプレビュー内画面、もしくはプレビュー画面外のインジケータにより、撮影者に光源色が確定された情報として伝達する伝達手段を用意する。【選択図】図１
2016116051.tif 000002
【特許請求の範囲】
【請求項１】
光源色検出により光源色が検出されたと判断された際に画面プレビュー内もしくはプレビュー画面外のインジケーターにより撮影者に光源色が確定された情報を伝える伝達手段を有する機器。
【請求項２】
光源色検出により光源色が検出されたと判断された際に画面プレビュー内及びプレビュー画面外のインジケーターにより撮影者に光源色が確定された情報を伝える伝達手段を有する機器
【請求項３】
光源色検出されて色再現された画像のメタデーターに光源検出済みのフラグデーターを書き込み、画像の色再現が光源色による再現であることが画像のメタデーターにより確認できる画像データー。
【発明の詳細な説明】
【技術分野】
【０００１】
本発明は、光源色温度が異なる複数の光源が存在する被写体を撮影する際にカメラプレビュー画面内で色再現を行いたい部分をタッチすることにより撮影画像の色温度を決定する撮影方法。
【背景技術】
【０００２】
通常のホワイトバランスでは画面内の白い部分を白に再現するように撮影画像の色再現を調整する画像処理を行い通常の撮影ではこれで実用上十分であった。
【０００３】
しかし、光源色温度が異なる複数の光源が存在する被写体を撮影する際に主体となる被写体の光源側に白が存在しない場合などは主体となるべき被写体の色再現が適切に行われない。
【０００４】
図１のように室内光と屋外光が光源となるような被写体でこのような事が発生する。
【０００５】
この改善策として撮影しようとする画面内に差し込む光の光源色を測定し、この光源色を元に撮影画像の色再現を調整する画像処理を行えば任意の被写体の色再現性の高い画像を得ることが出来る。
【先行技術文献】
【特許文献】
【０００６】
【特許文献１】番号  特許公開平７−２４５７６４
【非特許文献】
【０００７】
【非特許文献１】田島讓二著 「情景及び異種メディア間の対応する色再現の自動的実現手段の研究」科学研究費補助金研究成果報告書  課題番号２０５００１６０  平成２３年  ５月２６日
【発明の概要】
【発明が解決しようとする課題】
【０００８】
解決しようとする問題点は、画面内に白が存在しない場合でも色再現性の高い画像が得られる光源色推定による色再現であるが、白が画面内に存在しないため画像が正しく色再現している確証がない。
【課題を解決するための手段】
【０００９】
本発明は撮影画像中に差し込んでいる光の光源の色温度を測定し撮影画像の色再現を調整する画像処理を採用する機器において光源色温度が正しく認識された際に撮影プレビュー画面や表示ＬＥＤにより色再現が正しいと撮影者に通知し、撮影画像の色再現性が正しく撮影されて居ることを撮影者に認識させる事を最も主要な特徴とする。
【発明の効果】
【００１０】
二色性反射モデルによる光源色検出では光源色を利用しホワイトバランスを行うために画面中にホワイトが無い場合でも適切な色再現を行う事が可能であるがホワイトが存在しないため色再現性を目視確認できない欠点がある。本発明では光源色温度を検出した事をインジケーターにより告知するシステムであるため、画面中に白がない撮影画像でも正しく色再現されている事が確認される。
【図面の簡単な説明】
【００１１】
【図１】図１はプレビュー画面内及びプレビュー画面外にインジケーターを表示した説明図である。
【図２】図２はプレビュー画面内及びプレビュー画面外にインジケーターを表示したカメラの説明図である。
【発明を実施するための形態】
【００１２】
撮影用のプレビュー画面内に光源検出された事を表示、もしくはプレビュー画面外に表示することにより色再現が正しく行われていることを撮影者に通知する。
【実施例１】
【００１３】
図１は、本発明装置の１実施例で撮影画像中に差し込んでいる光の光源の色温度を測定し撮影画像の色再現を調整する画像処理を採用する機器において、差し込んでいる光源色が推定されたと認識された場合に撮影画面のプレビュー画面内にインジケーターにより告知する。
【実施例２】
【００１４】
発明装置の１実施例で撮影画像中に差し込んでいる光の光源の色温度を測定し撮影画像の色再現を調整する画像処理を採用する機器において、差し込んでいる光源色が推定されたと認識された場合に撮影画面外のインジケーターにより告知する。
【産業上の利用可能性】
【００１５】
色再現性を必要とする画像を撮影する際に有効なホワイトバランスの手段として二色性反射モデルによる光源色検出により画像の色再現を行う方法がある。光源が検出された事を撮影者に伝え色再現性のある画像を安定して撮影することが可能となる。
【符号の説明】
【００１６】
１     カメラ
２     プレビュー画面内光源色検出インジケーター
３     プレビュー画面外光源色検出インジケーター部を内蔵したカメラ
【図１】
2016116051.tif 000003
【図２】
2016116051.tif 000004
(57)【要約】【課題】  従来の容器には何時から使い始めたか、どの位消費しどの位残っているか分からないので、賞味期限切れも有りました。消費開始と消費量と残量が使う度に分かれば、商品を賢く、無駄なく消費出来るような容器を提供する。【解決手段】  容器は消費容量が分かる構造にし、細かな目盛１／１０又は１／５を付け、更に開封（消費）年月日に消費者が開封日を記入できる容器ですから、消費する度に消費期間と残量の二つを目で確認しながら、賢い消費ができます。【選択図】図２
2016016906.tif 000002
【特許請求の範囲】
【請求項１】
容器に開封年月日の欄を設けるか、又は単独の開封年月日を設けた容器。
【請求項２】
容器に細かな容量目盛を付け、使用分量と残り分量が分かる様にした容器。
【発明の詳細な説明】
【技術分野】
【０００１】  この発明は容器の一部に開封年月日の書き込み欄を設けるか或いは単独に開封年月日を設け、更に容器に内容量の細かな目盛を付ける事で、開封開始から何日でどの位消費したかが分かる開封・目盛付容器である。
【背景技術】
【０００２】  従来の容器はその商品の製造年月日や賞味期限があっても、開封（使用開始）年月日が無い為、殆どの人は使用開始が何時か覚えていない。【０００３】  従来の容器には容量が書かれていても、三角形や末広がりやくびれた物、不透明な物、又小さな容量から大きな容量の物まで千差万別です。容器に目盛が無く、不透明な容器も有り、正確な消費量を知りたくてもできなかった
【発明の開示】
【発明が解決しようとする課題】
【０００４】  その商品の製造年月日があっても、実際は製造から購入して使用開始までのタイムラグが有ります。使用開始が何時か、時が経過すればするほど実際の使用開始が分からないので、開封（使用開始）が何時かわかるようにする。【０００５】  従来の容器にはその商品の容量の明記は有っても、どれだけ消費したか分かりません。又容器には不透明な容器も有り、どんな容器でも消費者がどれだけ消費したか分かるようにする。
【課題を解決するための手段】
【０００６】  容器に開封年月日の欄を設けるか又は単独に開封年月日を設ける。【０００７】  容器（内容量の見えない容器は一部を見える構造に変える）に細かな目盛を付ける。【０００８】  細かな目盛とは標準は容量の１／１０毎に付けますが、小容量の容器や用途に応じて１／５毎等、刻印や凹凸を付けた目盛を言います。
【発明の効果】
【０００９】  消費者が開封（消費）開始の年月日を書き入れ、又商品の細かな容量目盛をその都度読み取ることで消費期間と消費量が分かります。この２つから消費完了日の目安や反省も含め、個人の考えと賞味期限も考慮しながら、その商品に合ったこれからの消費計画が立てられます。その結果、賞味期限切れが少なくなります。
【発明を実施する為の最良の形態】
【００１０】  開封開始の表示はメーカーの表示の一部に消費開始年月日の欄を設けるか単独の開封年月日を設けるか、どちらの形でも良いが消費者がマジック又はボールペン等でハッキリ書けること。
【００１１】  表示や目盛の表示は各容器に依って様々ですが、消費期間中に開封日や目盛が薄くなったり、消えたりしない材質や構造にすること。
【００１２】  用途や容量の大小で目盛の表記は違いますが、大きな容量では１／１０毎、小さい容量では１／５毎に目盛を付けると使用量が把握し易い。
【００１３】  不透明な容器では一部を透明にするか、その部分の材質を変えて、内容量が見え易い構造にすること。
【図面の簡単な説明】
【００１４】
【図１】本発明の斜視図でメーカーの不透明部分の一部を縦に透明にして、１／１０毎の目盛を付け、開封年月日の欄を設けた容器。
【図２】本発明の斜視図で紙パックの一部を透明な材質に変え、１／１０毎の目盛を付け、開封年月日の欄を設けた容器。
【図３】本発明の斜視図で小容量のため、１／５毎の目盛を付け、メーカーの表示やデザインと離して、単独開封年月日を設けた容器
【図４】本発明の斜視図で１／１０毎の目盛を付け、メーカーの表示やデザインの一部に開封年月日の欄を設けた容器。
【符号の説明】
【００１５】１．開封開始    年  月  日
２．細かな容量目盛
【図１】
2016016906.tif 000003
【図２】
2016016906.tif 000004
【図３】
2016016906.tif 000005
【図４】
2016016906.tif 000006
(57)【要約】      （修正有）【課題】誰でもボクシングに似た競技ができるような棒を提供する。【解決手段】体に殆どダメ−ジを与えないような柔軟な棒の握り部分１を握り、腕延長部分２の先の攻撃部分３を相手の体に接触させるように競技する。【選択図】図１
2016016310.tif 000002
【特許請求の範囲】
【請求項１】
プラスティックやゴム等の柔かい材質で作られ、腕の握り部分と突起等のない曲面あるいは平面の攻撃部分が両端にあり、日本人の平均的な腕の長さに比べて適当な長さを持つ棒。ただし、長さは年齢や性別によって異なる。
【発明の詳細な説明】
【技術分野】
【０００１】    玩具、スポ−ツ用具の技術。
【背景技術】
【０００２】    玩具、スポ−ツ用具を生産する技術。
【先行技術文献】
【０００３】    なし。
【発明の概要】
【発明が解決しようとする課題】
【０００４】    誰でもボクシングに似た競技を楽しめるようにすること。
【課題を解決するための手段】
【０００５】    ボクシングはごく一部の人しかできない競技である。本発明を使用し、２人いれば、ボクシングに似た競技ができる。ルールが必要だが、本発明の攻撃部分が相手の体に触れた時は有効とする。
【発明の効果】
【０００６】    誰でもボクシングに似た競技を楽しめる。
【図面の簡単な説明】
【０００７】
【図１】  本発明の斜視図
【図２】  本発明の使用法の図
【発明を実施するための形態】
【０００８】  以下、本発明を実施するための形態について説明する。
手で握り部分を握る。すると、腕延長部分の先の攻撃部分をコントロ−ルできる。
２人で、両手あるいは片手で攻撃部分の先を相手の体に接触させるように競技する。
【符号の説明】
【０００９】［図１］
１  握り部分
２  腕延長部分
３  攻撃部分
［図２］
１  対戦者
２  ボクシング仮体験棒
【図１】
2016016310.tif 000003
【図２】
2016016310.tif 000004
(57)【要約】【課題】従来のパラソルハンガーでは、アームの干し幅が狭く干すことが出来なかっつた、幅広サイズの洗濯物を、安全かつ小スペースに干すことができる扇形アームパラソルハンガーを提供する。【解決手段】  弾力性のある合成樹脂等の部材で、半円形状の連結材（６）を設け、当該連結材（６）で隣接する２本の棒状アーム（５）の先端部を連結し、扇形アーム（７）を設け、パラソルハンガー（１）の軸支台（４）のアーム取付孔（８）に、扇形アーム（７）の両端を各々回動可能に取り付けたことを特徴とする扇形アームパラソルハンガーである。【選択図】図１
2016016304.tif 000002
【特許請求の範囲】
【請求項１】
弾力性のある合成樹脂等の部材で、半円形状の連結材（６）を設け、当該連結材（６）で隣接する２木の棒状アーム（５）の先端部を連結し、扇形アーム（７）を設け、パラソルハンガー（１）の軸支台（４）のアーム取付孔（８）に、扇形アーム（７）の両端を各々回動可能に取り付けたことを特徴とする扇形アームパラソルハンガー。
【発明の詳細な説明】
【技術分野】
【０００１】  本発明は、タオルや下着等と共に、バスタオル等の大きいサイズの洗濯物を、安全かつ小スペースに干すことが出来る、扇形アームパラソルハンガーに関するものである。
【背景技術】
【０００２】  大きいサイズの洗濯物等の物干具としては、物干竿や専用のハンガーが、一般的に広く使われていた。
なお、棒状アームに拡張部材を設けて十分な幅を持たせて、洗濯物を早く乾かすことが出来る発明が知られている。（特許文献１）
【先行技術文献】
【特許文献】
【０００３】
【特許文献１】  特開２０１１−１５２３８２号広報
【発明の概要】
【発明が解決しようとする課題】
【０００４】  従来、パラソル型ハンガーでは、タオル等と共に、アームの長さを超える幅の広い洗濯物を干すことは、その構造上不可能だった。
また、従来のパラソルハンガーのアームは棒状のため、先端部で目等を突くなどの、危険性があった。
本発明はこれらの問題点を解決しようとするものである。
【課題を解決するための手段】
【０００５】  弾力性のある合成樹脂等の部材で、半円形状の連結材（６）を設け、当該連結材（６）で、隣接する２本の棒状アーム（５）の先端を連結し、扇形アーム（７）を設ける。
そして、パラソルハンガー（１）の軸支台（４）のアーム取付孔（８）に、扇形アーム（７）の両端を各々回動可能に取り付ける。
以上のような構成よりなる扇形アームパラソルハンガーである。
【発明の効果】
【０００６】  （イ）既存の棒状アームに比べ、干し幅は２倍を超える長さとなるので、広幅サイズの洗濯物も通常サイズの洗濯物と一緒に、パラソル型ハンガーに干すことが可能となる。
（ロ）先端部が丸みを帯びているので、目等を突くなどの危険性がなく安全に使用することが出来る。
（ハ）アーム部が、扇形の枠状になっているので、洗濯物を枠に沿って周回させて干すことから、強風でも洗濯物は容易に落下しない。
（ニ）干し幅が拡大したことにより、一度に多くの洗濯物を乾燥させることが出来る。
【図面の簡単な説明】
【０００７】
【図１】本発明の斜視図である。
【図２】本発明の扇形アームの分解斜視図である
【図３】本発明の断面図である。
【図４】本発明の扇形パラソルハンガーの収納状態を示す斜視図である。
【図５】本発明の扇形パラソルハンガーの使用状態を示す斜視図である。
【発明を実施するための形態】
【０００８】  図面に基づいて発明の実施形態を説明する。
（イ）図１に示すように、扇形アームパラソルハンガー本体（１）は、金属或いは合成樹脂等の部材で形成され、おもな構成としては、上部に吊下用フック（２）を設けた吊下棒（３）と、当該吊下棒（３）の下部に軸支台（４）を設け、その軸支台（４）に軸受けされた扇形アーム（７）からなっている。吊下用フック（２）は、吊下棒（３）の上部に一体形成され、軸支台（４）を介して回転自在に設けられ、物干し竿や紐等に掛けられるよう鉤状を成し、吊下棒（３）は、角型或いは丸型等の棒状体を成している。
軸支台（４）は、洗濯物（１１）を掛けるための複数本の扇形アーム（７）を、回動可能に軸受けすると共に、吊下棒（３）を中心として、略水平方向に等間隔で放射状に展開した状態の扇形アーム（７）を、支持するようになっている。
（ロ）図２に示すように、金属線、或いは合成樹脂等の部材で、２本の棒状アーム（５）を設け、さらに、弾力性のある合成樹脂等の部材で、連結材（６）を設ける。
そして、棒状アーム（５）の先端を連結材（６）の両端に連結して、扇形アーム（７）を設け、当該扇形アーム（７）の両端を軸支台（４）のアーム取付孔（８）に取付ける。
（ハ）図３、図４に示すように、アーム取付孔（８）は、各々回動軸となっており、扇形アーム（７）を立てた格納状態方向と、略水平方向の吊下げ状態方向との間で、可逆的に回動させることが出来るようになっている。
また、扇形アーム（７）の両端部に、洗濯物（１１）を弾性力で挟持するクリップ（９）を設け、連結材（６）の両端部には止め具（１０）が設けられてる。
（ニ）以上、本発明の実施の形態及び実施例を説明したが、本発明の範囲はこれに限定されるものではない。例えば、扇形アーム（７）を吊り下げ棒に対して、放射状のほか略水平方向に配置する等、他の形態をなすよう設けることは、状況に応じて適宜選択されるものである。
（ホ）また、扇形アーム（７）は、連結形成されたものに限らず、一体形成したものや、２本の棒状アーム（５）を、略Ｊ字状と略逆Ｊ字状に形成して、両者の先端部分は、洗濯物が楽に引き通し、取り外しできる間隔を持たせるように設けることも可能である。
（ヘ）さらに、連結材は合成樹脂等に限られるものではなく、その他例えば、金属線等、連結材として適当な任意の材質のものが利用でき、形状、大きさも任意に選定されるものでる。
【符号の説明】
【０００９】  １  ハンガー本体
２  吊下用フック
３  吊下棒
４  軸支台
５  棒状アーム
６  連結材
７  扇形アーム
８  アーム取付孔
９  クリップ
１０  止め具
１１  洗濯物
【図１】
2016016304.tif 000003
【図２】
2016016304.tif 000004
【図３】
2016016304.tif 000005
【図４】
2016016304.tif 000006
【図５】
2016016304.tif 000007
(57)【要約】      （修正有）【課題】就寝体位を自力でできず、重度の寝たきり介護を縦型就寝姿勢型電動リクライニングによりリモコン操作やマイコン制御で介護人無しで就寝姿勢をサポートする電動リクライニングベッドを提供する。【解決手段】頭部からつま先方向（縦方向）に中央部を電動モーター１０の駆動でのアーム１１で上昇させ就寝体位位置により右か左に体が回転し横向きで静止し好みの横向き就寝姿勢を保ち、さらに中央部を上昇する事により回転してうつぶせ寝就寝姿勢になり，両サイドが内側の電動モーター８、９でフレーム２、５が立ち上がり、転落を阻止する転落防止によりる働きと両サイドのフレームを上昇させ中央部３、４を下降する事により元の反対側の横向き就寝姿勢を保ち、さらに中央部を平坦にすることで元の仰向け就寝姿勢となり、この動作の反復により床擦れまで防止出来介護者の負担軽減する。これらは中央部両端上面の身体圧力センサー１２とマイコンで制御する。【選択図】図１
2016016306.tif 000002
【特許請求の範囲】
【請求項１】
フレーム駆動部▲１０▼とフレーム▲１１▼を頭部と足元と縦方向に中心部を上昇下降によりベッドマットを水平及び傾斜させる。両サイドフレーム▲８▼▲９▼を上昇下降させ立て，落下防止用にしたり水平を保ち上昇下降を電動モーター▲７▼▲８▼▲９▼▲１０▼とアーム▲１１▼の駆動により可動させ身体の位地を変化させ床擦れを防止するマイコンあるは手動コントローラーにより制御させる。中央部両サイドに身体圧力センサー▲１２▼により身体の位置を確認させる。
【請求項２】
さらに現在既存の電動リクライニングベッド機能を追加する事により。就寝体位型リクライニングベッドと背もたれ型リクライニングベッドの併用型となる。
【発明の詳細な説明】
【技術分野】
【０００１】  本発明は自力で就寝体位を変えられない介護者を寝返り、横向き保持，うつぶせ寝。床擦れ予防を電動モーターとアーム上昇下降させ傾斜により回転させコントロールスイッチやコンピューター制御で本人か介護者が就寝体位を変化させて安眠出来る体位を保つベッド。
【背景技術】
【０００２】就寝時身体移動困難な本人又は要介護者を介護人無しか自力で電動の助けを補助してもらう就寝体位や位地を変える目的である。
【発明が解決する手段】
【０００３】  ベッドの縦、中間及び両サイド▲７▼▲８▼▲９▼▲１０▼を電動モーターとアーム駆動により上下させ傾斜させ角度により身体を回転させたり横むきにする。両サイドフレームは転落防止用の機能を兼ねている。
【発明の効果】
【０００４】就寝者が自力で楽な姿勢で睡眠出来る体位を保つ事ができる（横向き、うつぶせ寝、上向き、）他。介護人の負担を軽減出来る。就寝姿勢を定期的にコントローラーやマイコン設定により床擦れを防止出来る体位を保つことが出来る。
【発明を実施するための形態】
【０００５】スチールで骨組を構成し起動アーム▲１１▼を電動モーター▲７▼▲８▼▲９▼▲１０▼により上昇下降をさせ骨組の上部にベッドマットを敷く。就寝型リクライニング機能ベッド。
【実施例】
【０００６】  既にリクライニングベッドは存在するが、背もたれのリクライニングベッドであり就寝体位姿勢をサポートする構造に変化した。
【産業上の利用可能性】
【０００７】全世界にリクライニングベッドが普及しているが就寝姿勢や体位をサポートすることができず介護福祉の産業可能性がある。
【図面の簡単な説明】
【０００８】
【図１】フレーム▲１▼ニ中央をモーター▲１０▼、により上昇傾斜させ，左右フレイム▲１１▼部をモーター▲７▼▲８▼▲９▼で立ち上がるよう傾斜し転落防止用とする。次にフレイム▲４▼▲５▼を下降させ中央部をモター▲１０▼でフラットにさせ、フレームと▲Ｃ▼をモーター▲２▼と▲３▼で上昇させ身体をフレイム中心部の位地に戻し、フレーム▲３▼と▲５▼を下降する事によりフレーム▲７▼▲８▼▲９▼▲１０▼の計４個のモーター駆動とアームでフラットになり正常な上向寝姿にもどる。
【符号の説明】
【０００９】▲２▼▲３▼▲４▼▲５▼フレーム駆動モーター▲７▼▲８▼▲９▼▲１０▼
上昇・下降フレーム▲２▼▲３▼▲４▼▲５▼
▲１▼ベッド本体フレーム。▲６▼マットレス▲１２▼身体圧力感知センサー。
【図１】
2016016306.tif 000003
(57)【要約】【課題】  急に釦を変えたいと思った時に別の釦を合せ持っている釦を提供する。【解決手段】  釦（１）の背中に継ぎ手（２）を差し込み、継ぎ手のもう一方を釦（３）の背中に差し込んだ、軸で一体になった二つの釦を特徴とする。【選択図】図１
2016016307.tif 000002
【特許請求の範囲】
【請求項１】
二つの釦を一本の軸で繋ぐ。
【発明の詳細な説明】
【技術分野】
【０００１】  この発明は、継ぎ手で繋がった二つの釦に関するものである。
【背景技術】
【０００２】  従来、釦は糸と針で服に縫い付けている。
【先行技術文献】
【特許文献】
【０００３】
【特許文献１】
【発明の概要】
【発明が解決しようとする課題】
【０００４】  これは次のような欠点があった。
（イ）従来服の釦は、ズボン、スカ−ト、シャツ、靴、靴下その日の気分等によって変えたいが、手間が掛かり過ぎる。
（ロ）釦が割れたり、糸が切れたら付け替えなければならない。
本発明は、以上のような欠点をなくすためになされたものである。
【課題を解決するための手段】
【０００５】  釦（１）の背中に継ぎ手（２）を差し込み、継ぎ手の反対側で釦（３）の背中に差し込む。
本発明は、以上の構成よりなる継ぎ手でつないだ二つの釦である。
【発明の効果】
【０００６】  急に釦を変えたい時、従来釦を縫い付けている所をボタンホ−ルにしておけば二つの釦を表裏を入れ替えるか、別の釦と入れ替えれば良い。
前開の左右をボタンホ−ルにした服を合掌にして、継ぎ手で繋いだ二つの釦で架けたら新しい着方、デザインが生れる。
【図面の簡単な説明】
【０００７】
【図１】  本発明の斜視図である。
【図２】  本発明の断面図である。
【発明を実施するための形態】
【０００８】  以下、本発明を実施するための形態について説明する。
釦（１）の背中に継ぎ手（２）の一方を差し込み、もう一方を釦（３）の背中に差し込む、本発明は、以上のような構造である。これを使用するときは、従来の服、シャツ、ジャケット等の釦を縫い付けている所をボタンホールにして、本発明の釦を付ければ良い。
【符号の説明】
【０００９】  １  釦
２  継ぎ手
３  釦
【図１】
2016016307.tif 000003
【図２】
2016016307.tif 000004
(57)【要約】【課題】洗濯ばさみの組立作業を軽減する。【解決手段】単純形状の洗濯ばさみを生産することにより生産効率を上げ組立作業を無くす或いは軽減する。一端にひとつ以上のスリットを持った挟み部を有し他端に摘み部を備える一対の挟持片と、該挟持片同士を対向状態にコ字状のバネ部材の二面が埋設合体されていることを特徴とする洗濯ばさみ。【選択図】図１
2016016303.tif 000002
【特許請求の範囲】
【請求項１】
一端にひとつ以上のスリットを持った挟み部を有し他端に摘み部を備える一対の挟持片と、該挟持片同士を対向状態にコ字状のバネ部材の二面が埋設合体されていることを特徴とする洗濯ばさみ。
【請求項２】
請求項１の洗濯ばさみに新たに挟み部を形成した洗濯ばさみ。
【発明の詳細な説明】
【技術分野】
【０００１】    本発明は洗濯ばさみに関する。
【背景技術】
【０００２】    従来の洗濯ばさみは、一対の挟持片とバネ部材を組み立てる作業を要する。
【発明の概要】
【発明が解決しようとする課題】
【０００４】    従来の洗濯ばさみは、一対の挟持片とバネ部材を組み立てる作業が複雑な為高価であった。
【課題を解決するための手段】
【０００５】    本発明はこの課題に着目し、洗濯ばさみを一体形成し、或いは組立作業の容易な安価な洗濯ばさみを提供することを目的とするものである。
【発明の効果】
【０００６】    作業効率が向上し、安価な洗濯ばさみを提供することができたものである。
【図面の簡単な説明】
【０００７】
【図１】  本発明の請求項１の斜視図である。
【図２】  本発明の請求項１の側面図である。
【図３】  本発明の請求項２の側面図である。
【図４】  本発明の請求項１の折り曲げ加工前の平面図である。
【図５】  部材名称の説明図。
【発明を実施するための形態】
【０００８】    本発明の洗濯ばさみの材料は、薄い平板弾性素材で構成される。成形方法は機械加工（曲げ）で加工される。請求項２の新たな挟み部材６は射出成形・押出し成形で形成される。
【実施例１】
【０００９】    図４の折り曲げ加工前の薄い平板弾性素材の平面図に示すように、薄い平板弾性素材中央付近に切り込み５が加工されている。【００１０】    薄い平板弾性素材中央付近に切り込み５が加工された平板を図１に示された様に機械加工（曲げ）すると請求項１の洗濯ばさみが完成する。
【実施例２】
【００１１】    新たな挟み部材６は請求項１の洗濯ばさみの挟み部の形状に対応した穴やスリットが設けられている。新たな挟み部材６と請求項１の洗濯ばさみを組み立てると請求項１の洗濯ばさみが完成する。新たな挟み部材６は挟み部内面のみに取り付けても良い。取り付け方法は接着剤或いは融着或いはカシメ等の機械係止が用いられる。
【符号の説明】
【００１２】    １  挟み部
２  摘み部
３  コ字状のバネ部材
４  スリット
５  切り込み
６  新たな挟み部材
【図１】
2016016303.tif 000003
【図２】
2016016303.tif 000004
【図３】
2016016303.tif 000005
【図４】
2016016303.tif 000006
【図５】
2016016303.tif 000007
(57)【要約】      （修正有）【課題】光触媒溶液の塗布、散布において、溶液に混入させ色をつけることで視認性を高めることができ、対象物の着色を一時的なものにする混入型薬剤の提供。【解決手段】着色液に顔料、染料ではなく、ＰＨ指示薬であるチモール・フタレインを主とし１〜１０％フェノールフタレインを混ぜた薬剤。該薬剤は、空気中の酸性成分に反応して無色となる。【選択図】なし【特許請求の範囲】
【請求項１】
光触媒溶液は淡い乳白色をしており、噴霧器を使用して散布、あるいは筆で何かに塗る際とても見え辛く、それに色のついた液体を混入することで明確に視認可能となる。
ただし、対象物によっては色が変わることで不都合が生じる為、着色は一時的なものにするのが理想的である。
本発明では着色液にＰＨ指示薬であるチモールフタレインを主に使用することで、散布、塗布後に空気中の酸性成分に反応して無色なることを利用したものである。
【請求項２】
チモールフタレインは中性時暗青色をしており、これも暗い室内等での視認に向いているとは言いがたい。
チモールフタレインに微量（１〜１０％）のフェノールフタレインを混ぜることで、暗青色は鮮やかな赤紫色へと変化し、これを製品とするものである。
両試薬は共に酸に反応して無色になる。
【発明の詳細な説明】
【技術分野】
【０００１】  本発明は建造物や室内関連製品等に使用されることの多い光触媒、その溶剤の散布、塗布を視認しやすいよう、一時的に着色し、その後自らは透明となる混入型薬剤である。
【背景技術】
【０００２】光触媒溶液は淡い乳白色をしているため、塗布、散布の際の視認が難しい。
その為塗りむら等の問題も発生しやすかった。【０００３】そこで染料、顔料を混入すれば視認しやすくはなるが、塗布、散布される対象の中には色が変わることで不都合が生じるものもある。【０００４】塗布、散布時には有色。乾燥後は透明になるものとしてはＰＨ指示薬があり、本発明はそれを利用するものである。
【発明の開示】
【発明が解決しようとする課題】
【０００５】塗布、散布時の光触媒溶液に混入、視認性を高め、乾燥後は透明となる薬剤の開発
【発明の効果】
【０００６】塗布、散布のむら、塗布、散布忘れの防止
【発明を実施するための最良の形態】
【０００７】塗布、散布の場合は光触媒溶液に適当量を混入して使用する
【実施例】
【０００８】塗布の際には光触媒溶液を小分けするビンや皿に適当量を混入して使用。
スプレイ・ガン等で噴霧する際は液剤カップの中の光触媒溶液に適当量を混入して使用。
【産業上の利用可能性】
【０００９】光触媒の利用は、建造物の外壁、住宅その他の壁紙、カーテン、アクセサリーその他様々なものに利用され、その応用範囲は今後さらに拡大するものと考えられる。
その際の塗布、散布が目視で確認しやすくなる事は大変有用で、ミスやトラブルの解消に大きく貢献することが想像できる。
(57)【要約】【課題】従来、ヤシの実に穴を空ける場合、大ナタなどでヤシの実を削るように穴をあけていたが、ヤシの実自身が不安定ということもあって、安全性に著しく欠け、怪我をする危険性があった。また、ドリルなどで穴をあけた場合には、削りカスが出るため、ヤシの実のジュースを飲む際には、削りカスをこして飲まなければならなかった。【解決手段】上記の問題を解決するにあたり、支持シャフト上端部に円筒状の刃先（カッター）が下向きになるように取り付けられた板と、支持シャフト下端部に取り付けられた板にジャッキを設置し、ジャッキ伸縮部（ジャッキアーム）の上部にヤシの実をのせる台を設置し、ジャッキを作用させることで、ジャッキ伸縮部（ジャッキアーム）が伸びて、円筒状の刃（カッター）がヤシの実に食い込み穴をあけることができる。【選択図】図１
2016016467.tif 000002
【特許請求の範囲】
【請求項１】
支持シャフト上端部に円筒状の刃先（カッター）が下向きになるように取り付けられた板と、支持シャフト下端部に取り付けられた板にジャッキを設置し、ジャッキ伸縮部（ジャッキアーム）の上部に台を設置し、ジャッキを作用させることで、ジャッキ伸縮部（ジャッキアーム）がヤシの実をのせる台を押し上げ、ヤシの実に穴をあけることを特徴とする装置。
【発明の詳細な説明】
【技術分野】
【０００１】
本発明は、ヤシの実に穴をあける装置に関する。
【背景技術】
【０００２】
従来から、ヤシの実に穴をあける場合、大ナタやチョッパーなどを用いてヤシの実の皮を削るように穴をあけている。
【０００３】
従来から、ヤシの実に穴をあける場合、インパクトドライバやドリルドライバなどで穴をあけている。
【先行技術文献】
【特許文献】
【０００４】
【特許文献１】特許出願平５-９２００３
【発明の概要】
【発明が解決しようとする課題】
【０００５】
そこで、本発明は、ヤシの実に穴をあける際に特に安全面を重視し、かつ簡単な方法でヤシの実に穴をあける装置を供給する。
【課題を解決するための手段】
【０００６】
支持シャフト（符号９）の上端部に円筒状の刃（カッター）（符号６）が下向きに取り付けられた板（符号１０）と、支持シャフト下端部に取り付けられた板（符号１１）にジャッキ（符号１）を設置し、ジャッキ伸縮部（ジャッキアーム）（符号３）の上部にヤシの実をのせる台（符号４）を設置し、ジャッキレバー（符号２）を上下に動かすことで、ジャッキ伸縮部（ジャッキアーム）（符号３）が伸びて、ヤシの実をのせる台（符号４）を押し上げることで、円筒状の刃（カッター）（符号６）がヤシの実に食い込み、ヤシの実に穴をあけることができる。
【発明の効果】
【０００７】
本発明によれば、安全で、かつ容易にヤシの実に穴をあけることができる。
【０００８】
本発明によれば、ドリルで穴をあける場合と異なり、削りカス（粉）が出ることはない。
【図面の簡単な説明】
【０００９】
【図１】図１は、本発明の正面概略図である。
【発明を実施するための形態】
【００１０】
支持シャフトの上端部に円筒状の刃が取り付けられた板を設置し、支持シャフト下端部に取り付けられた板にジャッキを設置し、ジャッキ伸縮部（ジャッキアーム）の上部に台を設置する。以下、実施例を挙げて本発明を更に詳述するも、本発明がこれらの説明や手順に限定されるものではない。
【実施例】
【００１１】
ヤシの実を台（符号４）にのせて、ジャッキレバー（符号２）を上下に動かすことで、ジャッキ伸縮部（ジャッキアーム）（符号３）が伸び、支持シャフト上部端に下向きに取り付けられた円筒状の刃がヤシの実に食い込むことで、ヤシの実に穴をあける。
【００１２】
ジャッキは、手動タイプでもよい。
【００１３】
ジャッキは、電動タイプでもよい。
【００１４】
円筒状の刃（カッター）にカバーを取り付けてもよい。
【００１５】
円筒状の刃（カッター）自身をソケットタイプにすることで、容易に交換できるようにしてもよい。
【００１６】
円筒状の刃先が山切りカットに加工されていてもよい。
【００１７】
支持シャフト上端部に取り付けられた板（符号１０）の材質は、木製でもよい。
【００１８】
支持シャフト上端部に取り付けられた板（符号１０）の材質は、金属製でもよい。
【００１９】
ヤシの実をのせる台（符号４）の材質は、木製でもよい。
【００２０】
ヤシの実をのせる台（符号４）の材質は、金属製でもよい。
【００２１】
支持シャフト下端部に取り付けられた板（符号11）の材質は、木製でもよい。
【００２２】
支持シャフト下端部に取り付けられた板（符号11）の材質は、金属製でもよい。
【００２３】
スプリング（符号８）の一端部を台（符号４）に連結させ、他端部をシャフト下端部に取り付けられた板（符号11）に連結させてもよい。
【００２４】
台（符号４）の上に特にリング状のものを置くとこで、ヤシの実を安定させてもよい。
【産業上の利用可能性】
【００２５】
本発明によれば、簡易な構造で、かつ安全にヤシの実に穴をあけることが可能となる。
【符号の説明】
【００２６】
1・・・ジャッキ
２・・・ジャッキレバー
３・・・ジャッキ伸縮部（ジャッキアーム）
４・・・台
５・・・ヤシの実
６・・・円筒状の刃（カッター）
７・・・ボルト
８・・・スプリング
９・・・支持シャフト
１０・・・支持シャフト上端部に取り付けられた板
１１・・・支持シャフト下端部に取り付けられた板
１２・・・ヤシの実を安定させるためのリング
【図１】
2016016467.tif 000003
(57)【要約】      （修正有）【課題】最も冷えやすい爪先部分の保温に優れた履物の中敷きを提供する。【解決手段】足の裏が接する底面部２と、該底面部２に連続して形成された爪先を覆う爪先部３とから構成され、当該爪先部３が指全体を覆うように形成させることで、指先をしっかりと保温する中敷き１を提供することができる。特に、爪先部３に保温性の高いファー素材等を使用することで、より保温性の高い中敷き１を提供する。【選択図】図１
2016016142.tif 000002
【特許請求の範囲】
【請求項１】
足の裏が接する底面部と、
該底面部に連続して形成された爪先を覆う爪先部と、を有する履物の中敷きであって、
当該爪先部は指先全体を覆うように形成されていることを特徴とする中敷き。
【請求項２】
前記底面部及び爪先部のうち、少なくとも爪先部は保温性の優れた材質からなることを特徴とする請求項１記載の中敷き。
【請求項３】
前記底面部と爪先部とは、異なる素材によって形成されていることを特徴とする、請求項１又は請求項２記載の中敷き。
【発明の詳細な説明】
【技術分野】
【０００１】
本発明は、履物の中敷きに関する。
【背景技術】
【０００２】
履物の中敷きに関し、防寒を目的として、様々な発明がなされている。例えば、中敷きの素材として、吸湿発熱繊維を使用した特許文献１のような中敷きが開示されている。
【先行技術文献】
【特許文献】
【０００３】
【特許文献１】特開２０１１−２４５２４４
【発明の概要】
【発明が解決しようとする課題】
【０００４】
しかし、特許文献１のように、中敷きが足裏の当たる底面部だけからなる場合、冷えやすい爪先部分の足の甲側から冷えてしまう。
そこで、本発明においては、最も冷えやすい爪先部分の保温に優れた履物の中敷きを提供することを課題とする。
【課題を解決するための手段】
【０００５】
（第１の発明）
本発明における第１の発明は、履物の中敷き1において、足の裏が接する底面部2と、該底面部2に連続して形成された爪先を覆う爪先部3と、を有し、
当該爪先部3は指先全体を覆うように形成されていることを特徴とする。
（第２の発明）
本発明における第２の発明は、第１の発明の構成に加え、前記底面部2及び爪先部3のうち、少なくとも爪先部3は保温性の優れた材質からなることを特徴とする。
【０００６】
ここで、保温性の優れた材質とは、一つの材質からなるとは限らず、内側を羊毛やフェイクファーで覆い、外側は綿やビニール素材等から形成されていてもよい。また、ダウンコートの詰め物に使用するダウンフェザーをナイロン素材の生地に詰めたもので爪先部3を形成してもよい。
（第３の発明）
本発明における第３の発明は、第１の発明又は第２の発明の構成に加え、前記底面部2と爪先部3とは、異なる素材によって形成されていることを特徴とする。
【発明の効果】
【０００７】
前述のように構成された、本発明における中敷きは、末梢神経の集まる爪先を覆っているため、保温効果が高く、寒い時期であっても、足先を冷やすことなく快適に過ごすことができる。
【図面の簡単な説明】
【０００８】
【図１】本実施形態における中敷きの斜視図。
【図２】本実施形態における中敷きの側面図。
【図３】ファー素材の断面図。
【図４】底面部に固定する前の爪先部の平面図。
【発明を実施するための形態】
【０００９】
図１に示すように、本発明における中敷き1は、足の裏が接する底面部2と、該底面部2に連続して形成され、爪先を覆う爪先部3とからなる。なお、本実施の形態において、中敷き1の内側とは、使用する際に足の接する面側を指し、外側とは、使用する際に履物と接する側をいうこととする。
図２に示すように、前記底面部2は、足裏と同じ形状をしており、上側シート部20と下側シート部21とからなる。前記上側シート部20及び下側シート部21は、それぞれ足裏と同じ形状をしており、重ねた状態で外周縁に沿って縫製されている。前記上側シート部20は、保温性の高いファー素材からなり、下側シート部21は、ポリウレタン等のクッション素材からなる。図３に示すように、前記上側シート部20であるファー素材は、内側に生地の表面4である毛の部分がくるように設けられており、下側シート部21と接する側に生地の裏面5がくるように設けられている。
【００１０】
図１及び図４に示すように、前記爪先部3は、楕円を斜めに切断した形状をしており、曲線部分が、前記底面部2の先端の外周縁に沿って縫製されている。なお、爪先部3は、ファー素材からなり、内側に生地の表面4がくるように設けられている。
（まとめ）
以上のように構成されている中敷き1は、爪先部3が設けられていることで末梢神経の集まる指先を保温性に優れた生地で覆うことができる。これによって、冷えやすい足先を暖めることができる。更には、寒い時には保温性に優れた中敷き1を使用し、暑い時には爪先部3がメッシュになった通気性に優れたものや底面部2のみで構成されている中敷きを使用するといった選択をすることができる。これにより、中敷きの種類を変えることで、同じ履物を一年中快適に使用することができる。また、ヒールの高い靴のように、履いた時に爪先が履物に当たってしまい爪先が痛くなるような履物に、本発明における中敷き1を使用することで、爪先が爪先部3によって保護され、痛みを緩和させてくれる。更に、サイズの大きな履物に、本発明における中敷き1を使用することで、履物の爪先部分がつまるため、サイズを僅かに小さくしてくれる。これによって、履物のサイズを調整することができる。
【００１１】
なお、本発明における中敷き1は、スニーカー、パンプス、オープンバックの靴、サンダル及びブーツ（レインブーツ）など、種々の履物に使用することができる。特に、レインブーツのように、一年を通して使用する履物については、前述のように夏と冬とで中敷きを変えることで、快適に一年中使用することができるようになる。
また、本実施の形態において、底面部2は二層からなるとしたが、一層で構成されていてもよいし、二層以上で構成されていてもよい。爪先部3においても同様に、複数の層から構成されていてもよい。また、指先が爪先部3に覆われていることだけでも十分に保温性を有しているため、爪先部3及び底面部2を構成する素材に特に限定はない。また、保温性に優れた生地として、ファー素材を使用したが、これに限らず、生地をファーに見立てたフェイクファーや、綿生地に羽毛を詰めた生地、吸湿発熱繊維を織り込んだ生地などを使用してもよい。更に、本実施形態において、接合方法は縫製によるものとしたが、糊付けや、異なる方法であってもよく、固定されればよい。
【符号の説明】
【００１２】
1  中敷き
2  底面部
3  爪先部
4  表面
5  裏面
20  上側シート部
21  下側シート部
【図１】
2016016142.tif 000003
【図２】
2016016142.tif 000004
【図３】
2016016142.tif 000005
【図４】
2016016142.tif 000006
(57)【要約】【課題】少量の飲料を、短時間で温め且つ冷めにくく効果的な保温状態として提供することを課題とする。【解決手段】カップ（３）の側面が側面ヒーター（１）と、カップ（３）の底面が底面ヒーター（２）と其其密着し、該側面ヒーター（１）と該底面ヒーター（２）とが各各独立した温度設定機能を有することで、高温にて急速加熱をする際に起こる突沸状態に対し抑制する効果を有し、また、カップ（３）をヒーターとの密着面積が広いため、低温加熱においても短時間で所定の温度に達し、保温時の状態も冷めにくい効果的な形状である。【選択図】図４
2016016037.tif 000002
【特許請求の範囲】
【請求項１】
カップ（３）の側面が側面ヒーター（１）と、カップ（３）の底面が底面ヒーター（２）と其其密着し、該側面ヒーター（１）と該底面ヒーター（２）とが各各独立した温度設定機能を有することを特徴とするカップウォーマー。
【発明の詳細な説明】
【技術分野】
【０００１】
本発明は、少量の飲料を加熱及び保温することを目的とする装置に関する。
【背景技術】
【０００２】
現代社会において、小型ポットにてお湯を供給し温かい飲料に利用する方法が重宝されている。しかし、一人で生活する環境も多くポットに残ったお湯は朝出勤した後は無駄となってしまう。ましてコーヒーやお茶に利用するためのお湯であり、牛乳やスープを沸かすものではない。牛乳等を沸かす場合は、カップに注ぎ電子レンジで沸かす場合が多く、手鍋等で沸かす場合は洗い物が増えるため、あまり利用されていないのが現状である。また、電子レンジの利用にしても正確な仕上がり温度にすることは難しく、当然食事に要する時間の経過と共に飲料の温度も低下することとなる。
【０００３】
また、業務形態として酒を燗するための、下部にヒーターを備えた酒燗器、特許文献１も考案され、それに類する加熱容器やミルク加熱器も多数考案されている。
【先行技術文献】
【特許文献】
【０００４】
【特許文献１】特開２００４−２０２２６２号公報
【発明の概要】
【発明が解決しようとする課題】
【０００５】
しかし、底部にヒーターを備えただけの形状は、加熱を急ぐあまり突沸状態を起こす原因となっている。また、保温に対しても側面より放熱されるため冷めやすい構造であり、当然底部のヒーターも必要以上に高温にて設定しなければならない。そこで、少量の飲料を短時間で温め、且つ冷めにくく効果的な保温状態として提供することを課題とする。
【課題を解決するための手段】
【０００６】
本発明によるカップウォーマー（カップに注いだ飲料を加熱するヒーター内蔵器具）は、ヒーターの加熱部とカップの外側の面が密着する形状である。この形状により熱伝導面積は広く、加熱時間も短縮される。
【０００７】
また、ヒーター部は底面と側面とが分離され独自に温度調節が可能となる。この方法によると側面のヒーターを高温にすることで突沸状態に対し効果的といえる。
【発明の効果】
【０００８】
これらにより、最適な温度で飲料を提供することができ、食事中はもとより急な来客等に時間を裂かれても、飲料は適温のまま維持されることとなる。つまり食事中はスープやみそ汁等の飲料は、いつ飲んでも温かいままで飲用することができる。
【図面の簡単な説明】
【０００９】
【図１】本発明によるカップウォーマーの正面図
【図２】本発明によるカップウォーマーの側面図
【図３】本発明によるカップウォーマーの平面図
【図４】本発明によるカップウォーマーのＡ−Ａ´断面図
【図５】本発明によるカップウォーマーの増量カップ利用時の見取図
【発明を実施するための形態】
【００１０】
形態について詳しく説明すると、カップ（３）の形状は上部断面から下部断面へと徐徐に小さくなるテーパー状の形状であり、当然ヒーター部も密着すべく同じ形状となる（図４参照）。
【００１１】
次にヒーター部は側面ヒーター（１）と底面ヒーター（２）とに分かれ独立した温度設定となる。例えば飲料を加熱する場合、底面ヒーター（２）だけによる加熱方法では時間を要することとなる。また、急速に温める場合はヒーターを高温に設定する必要があり、当然突沸状態が生ずる。この場合側面ヒーター（１）のみを高温にすることで、突沸状態を抑制する効果が得られる。側面ヒーター（１）と底面ヒーター（２）との適切な温度設定においては当業者の技術事項となる。
【００１２】
また、急速加熱（高温での加熱）状態が長時間続くと突沸状態も続くこととなる。それに対する防止手段としては、センサーにより飲料の温度を感知し、設定温度に達した時点でヒーターが保温温度に変更される。しかし、この形態は技術的にもコスト的にも容易に装備できるとは考えにくい。そこで、容易な方法として考えられるのが、タイマーを設け飲料の量によって目盛りを合わせる方法（加熱飲料をＣＣで表示）が容易であり、略近似値にてヒーターの温度が保温温度へと切り替わる。当然ながらカップに目盛りを設けることも効果的である。
【００１３】
カップ（３）の素材においては、熱伝導に対し効果的であれば何ら限定されるものではない。むしろ利用者の好みによるところが大きく、ガラス、アルミ合金、ステンレス、薄型陶器等飲料の種類により使い分けたいものである。また、容器が熱くなることから把手が必要となる。しかし、利用方法においては把手部分がない方が使い勝手が良い場合もあり、把手を脱着式にすることも一手段である。またカップ（３）の上部外側に断熱性の素材によるリングを備え飲用時に手が熱くならない方法も考えられる。カップ（３）の大きさにおいては、飲料の量に対応する必要があり、特にシチュー等容量の多い場合は増量カップ（５）を利用することも効果的である（図５参照）。また、蓋を備えることも保温性及び衛生面からも欠かせないものである。
【００１４】
操作部においては、電源の入・切を行うメインスイッチ（６）と、加熱または保温のどちらかを選択する加熱・保温切替スイッチ（７）と、保温時の温度を設定するための保温温度設定ダイヤル（８）とにて構成される。また、急速加熱の機能は必要に応じ装備される。
【００１５】
また、保温専用カップウォーマーを別に設け、増設保温ヒーター用コネクター（９）に接続することで複数の人員や複数の飲料に対応することができる。コネクターの数量や保温専用カップウォーマーの操作部においては適宜対応するものである。
【符号の説明】
【００１６】
１    側面ヒーター
２    底面ヒーター
３    カップ
４    把手
５    増量カップ
６    メインスイッチ（ＯＮ・ＯＦＦ）
７    加熱・保温切替スイッチ
８    保温温度設定ダイヤル
９    増設保温ヒーター用コネクター
【図１】
2016016037.tif 000003
【図２】
2016016037.tif 000004
【図３】
2016016037.tif 000005
【図４】
2016016037.tif 000006
【図５】
2016016037.tif 000007